(57)【特許請求の範囲】
【請求項１】
連続する側壁を備えるドラムシェルと、
高周波数および倍音を排除し、単一の支配的な低周波数の音波を作り出すことによってドラム音を弱めるための音色変更部を有するドラムヘッドであって、前記音色変更部は、
合成材料の第１のシートを備える第１の音色変更手段、
前記第１の音色変更手段を覆う関係で結合された合成材料の第２のシートを備える第２の音色変更手段、
水分の吸収を防止する水性シール層を形成する水性シール剤で浸透された編まれた綿織物材料から成り、前記第２の音色変更手段を覆い且つ接着しない関係で係合し、第３の音色変更手段と、接着している第１、第２の音色変更手段との間の位相干渉振動を作り出す、第３の音色変更手段、および、
前記第３の音色変更手段の概して中心区域を覆う関係で結合された第４の音色変更手段を備えるドラムヘッドと
を備える音楽用ドラム。
【請求項２】
前記合成材料の第１のシートが二層のポリエステル材料から成る、請求項１に記載の音楽用ドラム。
【請求項３】
前記二層のポリエステル膜は０．１９０５ｍｍ（０．００７５インチ）の厚さである、請求項２に記載の音楽用ドラム。
【請求項４】
前記第２の音色変更手段は半剛体のポリ塩化ビニルシート材料を含む、請求項１に記載の音楽用ドラム。
【請求項５】
前記ポリ塩化ビニルシート材料は０．２５４ｍｍ（０．０１０インチ）の厚さである、請求項４に記載の音楽用ドラム。
【請求項６】
前記合成材料と前記第２の音色変更手段とは接着で取り付けられる、請求項１に記載の音楽用ドラム。
【請求項７】
前記接着材料は０．１７７８ｍｍ（０．００７インチ）の厚さである、請求項６に記載の音楽用ドラム。
【請求項８】
前記第３の音色変更手段は編まれた綿織物材料から成る、請求項１に記載の音楽用ドラム。
【請求項９】
前記編まれた綿織物材料は０．６０９６ｍｍ（０．０２４インチ）の厚さである、請求項８に記載の音楽用ドラム。
【請求項１０】
前記編まれた綿織物材料は水性シール剤で浸透される、請求項９に記載の音楽用ドラム。
【請求項１１】
前記水性シール剤は、前記綿織物の上面および下面に膜を形成する、請求項１０に記載の音楽用ドラム。
【請求項１２】
前記編まれた綿と前記適用された水性シール剤との組合せは、０．８６３６ｍｍ（０．０３４インチ）の厚さである、請求項１１に記載の音楽用ドラム。
【請求項１３】
前記第４の音色変更手段は半剛体のポリ塩化ビニルシート材料を含む、請求項１に記載の音楽用ドラム。
【請求項１４】
前記半剛体のポリ塩化ビニルシート材料は０．２５４ｍｍ（０．０１０インチ）の厚さである、請求項１３に記載の音楽用ドラム。
【請求項１５】
前記半剛体のポリ塩化ビニルシート材料と前記第３の音色変更手段とは接着で取り付けられる、請求項１４に記載の音楽用ドラム。
【請求項１６】
前記接着材料は０．１７７８ｍｍ（０．００７インチ）の厚さである、請求項１５に記載の音楽用ドラム。
【請求項１７】
前記半剛体のポリ塩化ビニルシート材料は、前記第３の音色変更手段の中心部分に概して取り付けられる、請求項１３に記載の音楽用ドラム。
【請求項１８】
前記ドラムシェルの前記側壁は、６．３５ｃｍ（２．５インチ）から１２．７ｃｍ（５インチ）までの範囲の高さを有する、請求項１に記載の音楽用ドラム。
【請求項１９】
前記ドラムシェルは、５５．８８ｃｍ（２２インチ）から１０１．６ｃｍ（４０インチ）までの範囲である直径を有する、請求項１に記載の音楽用ドラム。
【請求項２０】
前記ドラムシェルの前記側壁の厚さは、１．２７ｃｍ（１／２インチ）から１．９０５ｃｍ（３／４インチ）までの範囲内である、請求項１に記載の音楽用ドラム。
【請求項２１】
前記ドラムシェルは台座基部によって支持される、請求項１に記載の音楽用ドラム。
【請求項２２】
前記台座基部は前記音楽用ドラムを水平位置で支持する、請求項２１に記載の音楽用ドラム。
【請求項２３】
前記ドラムに近接して位置付けられた１人または複数人の座っている人または立っている人と組み合わされて、音色変更部が、１人または複数人の前記人の体を通じて振動を与えるために、物体によって叩かれると相乗的に協働する、請求項１に記載の音楽用ドラム。
【請求項２４】
１人または複数人の前記人の前記体の下部が前記ドラムヘッドより下に位置付けられる、請求項１に記載の音楽用ドラム。
【請求項２５】
１人または複数人の前記人が前記ドラムヘッドに隣接して立っている、請求項１に記載の音楽用ドラム。
【請求項２６】
前記第１の音色変更手段は、ステープル、リベット、ネジ、および爪を備える群からの手段で、引っ張られ、前記側壁に取り付けられる、請求項１に記載の音楽用ドラム。
【請求項２７】
前記第３の音色変更手段は、ステープル、リベット、ネジ、および爪を備える群からの手段で、引っ張られ、前記側壁に取り付けられる、請求項１に記載の音楽用ドラム。
【発明の詳細な説明】
【技術分野】
【０００１】
本発明は、概して音楽用ドラムに関し、より詳細には、人体に特異的に治癒力のある振動レベルとその結果生じる音とを作り出す協働音色変更部の組合せを取り入れた音楽用ドラムに関する。
【背景技術】
【０００２】
ドラムヘッドは、物体によって叩かれるとモードで振動し、モードは特定の周波数の結合を可能にする。振動の最も小さいモードは、ドラムヘッドを作るために使用される膜材料が、捩じり動作または側方への動作がまったくない状態で揺れ動こうとするだけであるため、最も単純な形である。このモードの唯一の節点は、最小量の振動がある領域であり、ドラムヘッドの外周部である。
【０００３】
２次モードはドラムヘッドを半分に分けようとし、それによって、より高い部分音または倍音を作り出す。
振動の３次モードは、ドラムヘッドを４分の１の円の区域へと再び分割し、これが追加的なより高い周波数および倍音をさらに作り出す。
【０００４】
最も単純な形態でこれらの３つの振動モードだけがある場合（例えば、ヘッドに掛かるマレットの硬さや重量で変化する、ヘッドを叩くマレットの音を除く）、従来のドラムヘッドは複雑な一連の和音を簡単に作り出すことができる。
【発明の概要】
【発明が解決しようとする課題】
【０００５】
本発明の主な目的は、特定の音色変更部、具体的には、本発明のドラムヘッドに不可欠な音色変更部の複合体を使用して、和音の様々な高さを分解し、和音の最も純粋な形へと他の即興の音を減らすことであり、また、その結果生じる特異音を、人の健全性に向けた治癒的な意味合いで使用することである。
【０００６】
ドラムは、１人によって、または、同時に多くの人によって演奏できる。通常、演奏者のグループによる単一のドラムの同時演奏は、概して作り出される音が過剰に大きくて複雑となり、リズム的にも音楽的にも心地良い経験とは正反対となり得ることを考えれば、特に室内の状況である場合には、非実用的である。例えば、深い側壁を備えたいわゆるパウワウドラムなどの特定のドラムでは、演奏者は、水平方向に位置付けられたドラムに十分近づいて座ることができない。
【０００７】
単一のドラムをグループ演奏することは、アメリカ先住民族の間では一般的であった。しかし、当時は大部分のドラムは比較的小さかったため、演奏者は、ドラムから隔てて座り、ドラムヘッドを叩くために一本のマレットまたはスティックを使うことが必要であった。ドラムが室外で演奏されていたため、静かであることが必須ではなく、音量の大きさについて考慮される必要はなかった。
【０００８】
現代の世界では、音楽療法士は、しばしば病院や養護施設などの静かな施設で、様々な型の音楽用ドラムを含む打楽器をグループセッティングで使用する。この状況においては、作り出される治癒力のある音の癒しの効果を確実に経験するために、例えば、従来の椅子または車椅子に座りながら、または、立ちながらであろうと、多くの人が気持よく共有できる単一のドラムに対する要望がある。したがって、本発明は、前述のように、和音の様々な高さを分解して、倍音を抑制すると共に特異的な治癒力のある音を作り出すように相乗的に作用する音色変更部の希有な組合せを取り入れた振動薄膜（つまり、ドラムヘッド）をドラムに設けることによって、長い間望まれていた要望を実現する。この治癒力のある音は、人がドラムに近接して座っているかまたは立っているとき、人体を通じて経験される単一の支配的な低周波数の音波を含んでいる。
【課題を解決するための手段】
【０００９】
本発明はドラムシェルとドラムヘッドとから成り、ドラムヘッドは、高周波数および倍音を排除することによってドラム音を抑制するために相乗的に作用する音色変更部の複合体を備える。音色変更部は、二層の合成材料から成る第１の音色変更部と、覆う関係で二層の合成材料に結合された第２の音色変更部と、覆う関係で第２の音色変更部に位置付けられた第３の音色変更部と、第３の音色変更部の中心部分に結合された第４の音色変更部とを備える。
【００１０】
本発明の好ましい実施形態では、第１の音色変更部は、ポリエステルから成り、Ｍｙｌａｒ（登録商標）など、典型的には二層のポリエステルから成り、第２の音色変更部は半剛体のポリ塩化ビニルシート材料から成り、第３の音色変更部は編まれた綿織物材料から成り、第４の音色変更部は、半剛体のポリ塩化ビニルシート材料から成るが、直径が第２の音色変更部を備えるシート材料の直径より小さい。
【００１１】
したがって、ドラムの音を弱めるための音色変更部の複合体から成る改良されたドラムヘッドを音楽用ドラムに提供することが、本発明の目的である。
高周波および倍音を排除することで、ドラムの音を弱めるための協働音色変更部の複合体から成る改良されたドラムヘッドを音楽用ドラムに提供することが、本発明の別の目的である。
【００１２】
本発明の別の目的は、倍音を抑える過程で治癒力のある音を作り出す改良されたドラムヘッドを、音楽用ドラムに提供することである。
本発明の別の目的は、健康であるという感覚をもたらすために、人体を通じて経験される治癒力のある音を作り出す改良されたドラムヘッドを、音楽用ドラムに提供することである。
【００１３】
本発明の別の目的は、ドラムの傍で立っている人または座っている人によって感じられ得る単一の支配的な低周波の音波を作り出す改良されたドラムヘッドを、音楽用ドラムに提供することである。
【００１４】
本発明の別の目的は、１人だけによって、または、同時に多くの人によって演奏して楽しむことができる改良されたドラムヘッドを、音楽用ドラムに提供することである。
本発明の別の目的は、ドラムに隣接して座っているかもしくは立っている人、または、ドラムヘッドの下方で座っているかもしくは寝ている人のために、連続する鼓動のメッセージのような経験をもたらす改良されたドラムヘッドを、音楽用ドラムに提供することである。
【００１５】
本発明の別の目的は、ドラムヘッドの近くに座っている人がドラムヘッドの下方に脚を自由に置くことが容易にでき、また、ドラムを快適に演奏することが容易にできる改良されたドラムヘッドを、音楽用ドラムに提供することである。
【００１６】
本発明の別の目的は、製造するのが簡単でコスト効率の良い改良されたドラムヘッドを、音楽用ドラムに提供することである。
本発明の他の目的および利点は、本発明の好ましい実施形態が図示されている添付の図面を鑑みて検討されるとき、以下の詳述で明らかとなる。
【図面の簡単な説明】
【００１７】
【図１】本発明による音楽用ドラムの分解斜視図である。
【図２】本発明による音楽用ドラムのドラムヘッド部の断面図である。
【図３】本発明による中心台座スタンドを備えた音楽用ドラムの斜視図である。
【図４】本発明による音楽用ドラムを支持する台座スタンドと共に使用されるハブ部品および支柱部品の断面図である。
【図５】従来の単一の音色変更部だけを有するドラムヘッドを叩くことによって作り出される可聴周波数（ヘルツ）のスペクトル分析である。
【図６】本発明による協働音色変更部の複合体を有するドラムヘッドを叩くことによって作り出される可聴周波数（ヘルツ）のスペクトル分析である。
【図７】ドラムヘッドをその縁の近くで叩くマレットと、ドラムヘッドが本発明に従ってそのように叩かれるときの可聴周波数減衰のスペクトル分析とを示す図である。
【図８】ドラムヘッドをその中心で叩く、または、その中心の近くで叩くマレットと、ドラムヘッドが本発明に従ってそのように叩かれるときの可聴周波数減衰のスペクトル分析とを示す図である。
【図９】車椅子が近接して位置付けられた状態で示された、本発明による音楽用ドラムの斜視図である。
【図１０】近接して座ったり立ったりしている数名の人が、硬い物体で、ドラムヘッドの中心で、または、その中心近くで叩くことによって、ドラムヘッドを演奏している状態で示された、本発明による音楽用ドラムの斜視図である。
【発明を実施するための形態】
【００１８】
本発明が、図１から図１０に示された好ましい実施形態を参照して、より詳細に説明される。
音楽用ドラム１０は、外部側壁５４および内部側壁５６を備えるドラムシェル１２と、第１の音色変更部２０、第２の音色変更部２２、第３の音色変更部２４、および第４の音色変更部２６から成るドラムヘッド１４とから成る。特異的に協働する音色変更部２０、２２、２４、および２６の複合体が、音楽用ドラム１０によって、特にはドラムヘッド１４によって作り出された音を、本発明に従って高周波数および倍音を排除することで弱めるために提供されている。
【００１９】
本発明の好ましい実施形態は、以下の複合体から成っており、すなわち、音色変更部２０は、Ｍｙｌａｒ（登録商標）など、典型的には二層であるポリエステル材料から成り、浮いていることで相互に弱まる第１の層３０と第２の層３２とを備えている。音色変更部２０の耐久性は、重なり合う層３０および３２の厚さのため、高められる。ポリエステル膜の好ましい厚さは０．１９０５ｍｍ（０．００７５インチ）である。音色変更部２０は、より高い部分音または倍音を最初に弱めることを実現する。
【００２０】
第２の音色変更部２２は半剛体のポリ塩化ビニルシート材料から成っており、好ましい材料は０．２５４ｍｍ（０．０１０インチ）の厚さを有している。音色変更部２２は、接着剤２３または何らかの他の適切な結合剤によって音色変更部２０に取り付けられており、通常、約０．１７７８ｍｍ（約０．００７インチ）の厚さである。音色変更部２２の音色変更部２０への結合は、ドラムヘッド１４の剛性を非常に高め、したがって、捩じり動作を除去し、これが、ドラムヘッド１４を半分の区域または４分の１の区域へと分割するのを防止する。音色変更部２２の追加重量は、または「質量負荷」と呼ばれることもあり、振動を減速し、ドラムヘッド１４の音の高さを小さくする。
【００２１】
第３の音色変更部２４は、この音色変更部部品に対して好ましい材料である、ダック地として一般的に知られている材料など、編まれた綿織物材料から成る。織られたダック地は、極めて柔軟であり、実際の打ち込み数、デニール、および織目に依存して、取り付けられた音色変更部２０および２２に対して簡単にドレープし（浮いて曲げられない）、音色変更部２０および２２にさらに音を抑制させることになる。音色変更部２４は、概して、手で、または、ドラムスティック（図示せず）もしくはマレット５８などの硬い物体で繰り返して叩かれるドラムヘッド１４との使用に非常に適した、強くて長持ちする強力な重い平織布である。第３の音色変更部２４は、取り付けられた第１の音色変更部２０および第２の音色変更部２２との組合せで、最初の二層のポリエステルの概念に基づいており、それにより、取り付けられた第１の音色変更部２０および第２の音色変更部２２の組合せと第３の音色変更部２４とが結合されないことで、２つの振動部材の間に位相干渉を作り出す。これは質量負荷を作り出し、その結果、ドラムヘッド１４の音の高さを小さくすることに寄与する。また、音色変更部２４は、この目的のために好ましいシール剤である、商標Ｈａｌｏｆｌｅｘ（商標）によって知られている水性シール剤２８で浸透されており、その結果、布表面は封止でき、容易に洗浄できる。典型的には、音色変更部２４を含む材料は０．６０９６ｍｍ（０．０２４インチ）の厚さである。適用されたシール剤２８は、音色変更部２４を含む材料の綿の織りへと染み込み、上面および下面にそれぞれ薄い膜も形成する。２つの組み合わされた厚さ、つまり、綿織物とシール剤との組み合わされた厚さは、０．８６３６ｍｍ（０．０３４インチ）である。
【００２２】
第４の音色変更部２６は、好ましい形態であり、半剛体のポリ塩化ビニルシート材料から成るが、第２の音色変更部２２を作るために使用されるシート材料より直径がより小さくなっている。音色変更部２６は、接着剤２３によって音色変更部２４に結合されており、ドラム１０の全径のおおよそ４０％を覆っており、ドラムヘッド１４の追加的な質量負荷を提供しているが、ほとんどはその中心部分１６においてである。音色変更部２６を備える材料の重量は、より長い期間にわたって振動部材の揺動動作を高める。音色変更部２６を備える材料は、０．２５４ｍｍ（０．０１０インチ）の厚さを有している。接着剤２３は、音色変更部２６への適用の後、おおよそ０．１７７８ｍｍ（約０．００７インチ）の厚さである。
【００２３】
音楽用ドラムヘッドに取り入れられた音色変更部は、本発明に従って図５および図６に示されているように、最も高い周波数における音量に普通は影響を与える。図５は、ポリエステルなどの適切な合成材料の二層（３０、３２）から成る従来の単一の音色変更部のみを有するドラムヘッド１４を備えた音楽用ドラム１０（直径１０１．６ｃｍ（４０インチ））のスペクトル分析を示している。時間が秒で示されており、周波数はヘルツで表示されており、ドラムヘッド１４が叩かれたときに作り出される音の音量がその最も高いレベルに到達している。
【００２４】
図６は、例えば、本発明による音色変更部２０、２２、２４、および２６を相乗的に作用させる複合体を備えたドラムヘッド１４など、音楽用ドラム１０（直径１０１．６ｃｍ（４０インチ））のスペクトル分析を示している。時時間が秒で周波数がヘルツで示されており、ドラムヘッド１４が叩かれたときに作り出される特異的な音の音量は、単一の支配的な低周波数の音だけを作り出していた図５で示された先の例より、かなり大きな割合で減衰している。
【００２５】
前述のように、すべての４つの音色変更部２０、２２、２４、および２６が組み合わされて協働する場合、周波数減衰は、ドラムヘッド１４がその最外縁５７の近くで叩かれるときに最も大きくなっており（図７および指示Ａ、Ｂ、およびＣを参照）、ドラムヘッド１４がその中心５９の最も近くかまたは若干外して叩かれたときに最も小さくなっている（図８および対応する指示Ａ１、Ｂ１、およびＣ１を参照）。
【００２６】
本発明の好ましい実施形態のドラム１０を支持するために使用されるスタンド４０は、図１および図４に示されるような、台座のタイプである。スタンド４０は、図３に示されると共に図４に断面で示されるように、ハブ５０を利用するドラムシェル１２に取り付けられている。ハブ５０は、その外周の周りにおいて、ドラムシェル１２の内部側壁５６と係合するように放射状に広がる複数の支持スポーク５３に連結されており、その連結において、各支持スポーク５３は、リベット６１、または、ネジ、ボルト、留め具、および強ステープル（図示せず）を限定されることなく含む、任意の適切な取付手段を用いて等距離で取り付けられており、それらの取付手段は、スポーク５３をハブ５０に取り付けるために利用されてもよい。台座基部４２および鉛直支柱４６は、鉛直支柱４６の先細りとされた底端４４を、先細りとされた適合する開口４８へと挿入し、先細りとされた上端４５を、適合する先細りとされた開口４７へと挿入することで、接続される。両方の底端４４および４５と、それぞれの適合する開口４７および４８とは、ドラム１０を台座スタンド４０へと取り付けるために工具を用いることを通常は不必要とさせるぴったりと安定した接続を確立するために、先細りとされている。
【００２７】
図１、図３、図９、および図１０に示されたドラムは、４人以上の演奏者６０がドラムの周りに快適に座るかまたは立つことができ、ドラムを手でまたはマレットなどを使用して演奏できるように配置されている。台座スタンドとドラムシェルの短い深さ、および彼らが演奏するのを邪魔することになる何らかの外側のドラム支持スタンド、または、備品がないことによって、車椅子６２の演奏者も同様に、グループドラム演奏を経験する一員になることができる。また、水平で比較的高い位置にドラムがあるため、ドラム１０が演奏されるとき、子供および小柄な大人（図示せず）は、ドラム１０の下に文字通り座るかまたは横になることができ、音波を感じることができる。音波が拡声器と同様の単純な揺動動作で移動するため、すべてではないかもしれないが、音波の大部分は人に直接当たり、連続する鼓動のメッセージのような経験をもたらすことになる。
【００２８】
ドラムの本体形状も、どの周波数が増幅、減衰、または、ある場合には完全に排除されるかを決定することになる。例えば、アフリカのジャンベなどのお椀形のドラムは、調律された共鳴装置として作用するため、特定の低温周波数を強調することになる。他のまっすぐな側面のドラムは、ドラムシェルの長さが、内部の空気が振動するだけ十分に含まれ得るように十分に延ばされている場合、同じことになる。一方、短い深さのドラムは、追加の音色特性を作り出すことにはほとんど寄与しない。短いシェルは、その枠体が、ドラムヘッドを収容して支持するためと、ドラムシェル枠体が吊り下げられて自由に振動する場合に、ドラムヘッドの支持を増強するためとにより使用される。ドラムテーブル１０の好ましいドラム直径は、図面に示された例では、５５．８８ｃｍ（２２インチ）、７６．２ｃｍ（３０インチ）、および１０１．６ｃｍ（４０インチ）であり、ドラムシェル１２の厚さが１．２７ｃｍ（１／２インチ）から１．９０５ｃｍ（３／４インチ）までとなっている。ドラムヘッド１４は、より具体的には、音色変更部２０のポリエステル膜と音色変更部２４の織られたダック地とであり、ドラムシェル１２を覆って引っ張られ、ステープル５１、リベット、または任意の他の適切な取付手段（図示せず）で、外部側壁５４に対して所定位置に保持されている。
【００２９】
本発明は特定の好ましい実施形態との関連で説明されているが、本発明をこの特定の実施形態に限定するようには意図されていないことは理解される。代わりに、すべての代替品、変更品、および同等品を、添付の特許請求の範囲によって定められた本発明の精神および範囲内に含まれ得るとして包含するように意図されている。
【符号の説明】
【００３０】
１０  音楽用ドラム、ドラムテーブル
１２  ドラムシェル
１４  ドラムヘッド
１６  中心部分
２０  第１の音色変更部
２２  第２の音色変更部
２３  接着剤
２４  第３の音色変更部
２６  第４の音色変更部
２８  水性シール剤
３０  第１の層
３２  第２の層
４０  台座スタンド
４４  底端
４５  上端
４７  開口
４８  開口
５０  ハブ
５１  ステープル
５３  支持スポーク
５４  外部側壁
５６  内部側壁
５７  最外縁
５９  中心
６０  演奏者
６１  リベット
６２  車椅子
【図１】
0005952940.tif 000002
【図２】
0005952940.tif 000003
【図３】
0005952940.tif 000004
【図４】
0005952940.tif 000005
【図５】
0005952940.tif 000006
【図６】
0005952940.tif 000007
【図７】
0005952940.tif 000008
【図８】
0005952940.tif 000009
【図９】
0005952940.tif 000010
【図１０】
0005952940.tif 000011